(57)【要約】【課題】電気泳動表示装置において、簡便な方法で秘匿データの埋め込み及び読み出しを行う。【解決手段】電気泳動表示装置の駆動方法は、第１画素電極（２１ａ）及び第２画素電極（２１ｂ）、共通電極（２２）、第１粒子（８３）及び第２粒子（８４）を含む電気泳動素子（２３）を備える電気泳動表示装置の駆動方法であって、共通電極に第１粒子を引き寄せて第１の色を表示する第１表示工程と、共通電極に第２粒子を引き寄せて第２の色を表示する第２表示工程と、第１画素電極に第１粒子を引き寄せると共に、第２画素電極に第２粒子を引き寄せて第３の色を表示する第３表示工程と、第１画素電極に第２粒子を引き寄せると共に、第２画素電極に第１粒子を引き寄せて第３の色を表示する第４表示工程とを備える。ここで特に、第４表示工程によって第３の色を表示する画素には、視覚できない秘匿データが埋め込まれる。【選択図】図１１
2011232525.tif 000002
【特許請求の範囲】
【請求項１】
画素毎に設けられた第１画素電極及び第２画素電極、前記第１画素電極及び前記第２画素電極と対向するように配置された共通電極、並びに第１の色に対応する第１粒子及び第２の色に対応する第２粒子を含む電気泳動素子を備える電気泳動表示装置の駆動方法であって、
前記第１画素電極及び前記第２画素電極に前記第２粒子を引き寄せると共に、前記共通電極に前記第１粒子を引き寄せることで第１の色を表示する第１表示工程と、
前記第１画素電極及び前記第２画素電極に前記第１粒子を引き寄せると共に、前記共通電極に前記第２粒子を引き寄せることで第２の色を表示する第２表示工程と、
前記第１画素電極に前記第１粒子を引き寄せると共に、前記第２画素電極に前記第２粒子を引き寄せることで前記第１の色及び前記第２の色とは異なる第３の色を表示する第３表示工程と、
前記第１画素電極に前記第２粒子を引き寄せると共に、前記第２画素電極に前記第１粒子を引き寄せることで前記第３の色を表示する第４表示工程と
を備え、
前記第４表示工程によって前記第３の色を表示する前記画素は、前記第３表示工程によって前記第３の色を表示する前記画素とは異なり、視覚できない秘匿データが埋め込まれる
ことを特徴とする電気泳動表示装置の駆動方法。
【請求項２】
前記第３表示工程及び前記第４表示工程によって前記第３の色が表示されている前記画素において、前記第１画素電極に所定の電位を供給することで、前記第４表示工程によって前記第１画素電極に引き寄せられた前記第２粒子を前記共通電極側に押し出し、前記第２粒子を視覚可能とする秘匿データ読出工程を備えることを特徴とする請求項１に記載の電気泳動表示装置の駆動方法。
【請求項３】
画素毎に設けられた第１画素電極及び第２画素電極と、
前記第１画素電極及び前記第２画素電極と対向するように配置された共通電極と、
第１の色に対応する第１粒子及び第２の色に対応する第２粒子を含む電気泳動素子と、
前記第１画素電極及び前記第２画素電極、並びに前記共通電極の各々に電位を供給することで画像を表示するように制御する制御部と
を備え、
前記制御部は、
前記第１画素電極及び前記第２画素電極に前記第２粒子を引き寄せると共に、前記共通電極に前記第１粒子を引き寄せることで第１の色を表示する第１表示手段と、
前記第１画素電極及び前記第２画素電極に前記第１粒子を引き寄せると共に、前記共通電極に前記第２粒子を引き寄せることで第２の色を表示する第２表示手段と、
前記第１画素電極に前記第１粒子を引き寄せると共に、前記第２画素電極に前記第２粒子を引き寄せることで前記第１の色及び前記第２の色とは異なる第３の色を表示する第３表示手段と、
前記第１画素電極に前記第２粒子を引き寄せると共に、前記第２画素電極に前記第１粒子を引き寄せることで前記第３の色を表示する第４表示手段と
を有しており、
前記第４表示手段によって前記第３の色を表示する前記画素は、前記第３表示手段によって前記第３の色を表示する前記画素とは異なり、視覚できない秘匿データが埋め込まれる
ことを特徴とする電気泳動表示装置。
【請求項４】
前記電気泳動素子は、前記第３の色に対応する無帯電の第３粒子を含んでいることを特徴とする請求項３に記載の電気光学装置。
【請求項５】
前記電気泳動素子は、前記第３の色に対応する溶媒を含んでいることを特徴とする請求項３に記載の電気光学装置。
【請求項６】
前記第１画素電極及び前記第２画素電極は、透光性を有していることを特徴とする請求項３から５のいずれか一項に記載の電気光学装置。
【請求項７】
前記第１画素電極及び前記第２画素電極は、遮光性を有していることを特徴とする請求項３から５のいずれか一項に記載の電気光学装置。
【請求項８】
請求項３から７のいずれか一項に記載の電気泳動表示装置を具備してなることを特徴とする電子機器。
【発明の詳細な説明】
【技術分野】
【０００１】
本発明は、電気泳動表示装置の駆動方法、並びに電気泳動表示装置及び該電気泳動表示装置を備えた電子機器の技術分野に関する。
【背景技術】
【０００２】
この種の電気泳動表示装置では、電気泳動粒子を含む電気泳動素子を挟持する一対の基板の各々に設けられた画素電極及び共通電極間に電位差を与えて、電気泳動粒子を移動させることで画像が表示される。電気泳動素子は、例えば黒色粒子及び白色粒子を含んでおり、これら２種類の粒子の各々が共通電極側に引き寄せられることによって、黒色又は白色の２つの階調が表示される。更には、黒色及び白色以外の色（例えば、赤色や青色等）の電気泳動粒子や、着色された溶媒等を用いることで、３色以上の階調を表示可能とする技術が提案されている（例えば、特許文献１から３参照）。
【０００３】
他方で、上述したような電気泳動表示装置は、一度表示させた画像を保持し続けるという特性を持っている。このため、メモリー等に記憶された電子データにセキュリティ対策を施すと共に、表示された画像データに対しても、同様にセキュリティ対策を施すことが求められる。セキュリティ対策としては、例えばデータ中に電子透かしを埋め込むという技術が提案されている（例えば、特許文献４参照）。
【先行技術文献】
【特許文献】
【０００４】
【特許文献１】特開２００５−３１３４５号公報
【特許文献２】特表２００５−５００５７１号公報
【特許文献３】特開２００９−９０９２号公報
【特許文献４】特開平９−１９１３９４号公報
【発明の概要】
【発明が解決しようとする課題】
【０００５】
しかしながら、特許文献４に係る技術では、透かしデータの作成や読み出しのために、空間周波数の解析など高性能で複雑な演算処理機能を持った情報処理機器が必要となってしまうため、結果として機器導入のコストアップを招いてしまう。一方で、このようなコストアップを避けるには演算性能を落とさざるを得ないが、容易に透かしを作成したり、速やかに透かしを読み出したりする要求に応えることができず不十分である。
【０００６】
特に電気泳動表示装置においては、埋め込まれた透かしデータを画像から読み出す際に、先ずどの部分に透かしデータが埋め込まれているかを入手することが求められる。よって、暗号化手法など別途の手段を入手して読み出すには手間がかかる。また、読み出し機器の導入時のコストアップにも繋がるおそれがある。
【０００７】
以上のように、電気泳動表示装置におけるセキュリティ対策は、実践上の様々な不都合を有しているという技術的問題点がある。
【０００８】
本発明は、例えば上述した問題点に鑑みなされたものであり、極めて簡便な方法で透かしデータの埋め込み及び読み出しを行うことが可能な電気泳動表示装置の駆動方法、並びに電気泳動表示装置及び電子機器を提供することを課題とする。
【課題を解決するための手段】
【０００９】
本発明の電気泳動表示装置の駆動方法は上記課題を解決するために、画素毎に設けられた第１画素電極及び第２画素電極、前記第１画素電極及び前記第２画素電極と対向するように配置された共通電極、並びに第１の色に対応する第１粒子及び第２の色に対応する第２粒子を含む電気泳動素子を備える電気泳動表示装置の駆動方法であって、前記第１画素電極及び前記第２画素電極に前記第２粒子を引き寄せると共に、前記共通電極に前記第１粒子を引き寄せることで第１の色を表示する第１表示工程と、前記第１画素電極及び前記第２画素電極に前記第１粒子を引き寄せると共に、前記共通電極に前記第２粒子を引き寄せることで第２の色を表示する第２表示工程と、前記第１画素電極に前記第１粒子を引き寄せると共に、前記第２画素電極に前記第２粒子を引き寄せることで前記第１の色及び前記第２の色とは異なる第３の色を表示する第３表示工程と、前記第１画素電極に前記第２粒子を引き寄せると共に、前記第２画素電極に前記第１粒子を引き寄せることで前記第３の色を表示する第４表示工程とを備え、前記第４表示工程によって前記第３の色を表示する前記画素は、前記第３表示工程によって前記第３の色を表示する前記画素とは異なり、視覚できない秘匿データが埋め込まれる。
【００１０】
本発明の電気泳動表示装置の駆動方法によれば、例えば画素毎に第１画素電極及び第２画素電極が設けられた素子基板と、共通電極が設けられた対向基板との間に電気泳動素子が挟持されてなる電気泳動表示装置が駆動される。電気泳動素子は、第１の色に対応する第１粒子及び第２の色に対応する第２粒子を有しており、各粒子が共通電極側に引き寄せられることによって、第１の色及び第２の色が表示可能とされている。また、第１粒子及び第２粒子が、それぞれ第１画素電極及び第２画素電極側に引き寄せられることによって、第１の色及び第２の色とは異なる第３の色が表示可能とされている。
【００１１】
第１の色を表示すべき画素においては、第１画素電極及び第２画素電極に第２粒子を引き寄せると共に、共通電極に第１粒子を引き寄せることで第１の色が表示される。より具体的には、第１粒子及び第２粒子は互いに異なる極性に帯電しており、第１画素電極及び第２画素電極には第２粒子を引き寄せるような極性の電位が供給され、共通電極には第１粒子を引き寄せるような極性の電位が供給される。これにより、第１の色に対応した第１粒子が共通電極側から視覚可能となり、画素において第１の色が表示される。
【００１２】
第２の色を表示すべき画素においては、第１画素電極及び第２画素電極に第１粒子を引き寄せると共に、共通電極に第２粒子を引き寄せることで第２の色が表示される。より具体的には、第１画素電極及び第２画素電極には第１粒子を引き寄せるような極性の電位が供給され、共通電極には第２粒子を引き寄せるような極性の電位が供給される。これにより、第２の色に対応した第２粒子が共通電極側から視覚可能となり、画素において第２の色が表示される。
【００１３】
第３の色を表示すべき画素においては、第１の色及び第２の色を表示すべき画素とは異なり、２種類の画素が存在することとなる。具体的には、第３表示工程では、第１画素電極に第１粒子を引き寄せると共に、第２画素電極に第２粒子を引き寄せることで第３の色が表示される。即ち、第１画素電極には、第１粒子を引き寄せるような極性の電位が供給され、第２画素電極には第２粒子を引き寄せるような極性の電位が供給される。これにより、第１の色に対応した第１粒子及び第２の色に対応した第２粒子は共に共通電極側から視覚できなくなり、例えば他の粒子や溶媒等の色である第３の色が画素において表示される。
【００１４】
一方、第４表示工程では、第１画素電極に第２粒子を引き寄せると共に、第２画素電極に第１粒子を引き寄せることで第３の色が表示される。即ち、第１画素電極には、第２粒子を引き寄せるような極性の電位が供給され、第２画素電極には第１粒子を引き寄せるような極性の電位が供給される。これにより、第１の色に対応した第１粒子及び第２の色に対応した第２粒子は共に共通電極側から視覚できなくなり、第３表示工程と同様に第３の色が画素において表示される。
【００１５】
本発明では特に、同じ第３の色を表示する画素であっても、上述したように２種類の画素が存在する。即ち、第３表示工程によって第３の色を表示する画素、及び第４表示工程によって第３の色を表示する画素が存在する。これらの画素は、第１粒子及び第２粒子が、第１画素電極及び第２画素電極のいずれに引き寄せられているかが異なるのみであり、共通電極側から見る分には区別がつかない。よって、これらの２種類の画素を使い分けることで、表示画像中に視覚することができない秘匿データを埋め込むことができる。
【００１６】
具体的には、秘匿データが埋め込まれない画素は、第３表示工程によって、第１画素電極に第１粒子が引き寄せられ、第２画素電極に第２粒子が引き寄せられた状態とされる。一方で、秘匿データが埋め込まれる画素は、第４表示工程によって、第１画素電極に第２粒子が引き寄せられ、第２画素電極に第１粒子が引き寄せられた状態とされる。このようにすれば、各画素は共に第３の色を表示しているにもかかわらず、確実に異なる粒子状態を有する画素となる。従って、データ作成者が秘匿データを埋め込んだ画像を閲覧する閲覧者は、秘匿データの有無、或いは秘匿データがどこに存在するかを視覚的に判別することができない。
【００１７】
尚、埋め込まれた秘匿データを表示画像から読み出す際には、例えば秘匿データが埋め込まれた画素（即ち、第４表示工程によって、第１画素電極に第２粒子が引き寄せられ、第２画素電極に第１粒子が引き寄せられた状態の画素）においてのみ表示される色が変化するような電位を供給すればよい。このようにすれば、秘匿データが埋め込まれなかった画素の色は変化せずに、秘匿データが埋め込まれた画素の色のみが変化する。よって、閲覧者は秘匿データを視覚的に判別することが可能となる。
【００１８】
以上説明したように、本発明の電気泳動表示装置の駆動方法によれば、極めて簡便な方法で秘匿データの埋め込み及び秘匿データの読み出しを行うことが可能である。
【００１９】
本発明の電気泳動表示装置の駆動方法の一態様では、前記第３表示工程及び前記第４表示工程によって前記第３の色が表示されている前記画素において、前記第１画素電極に所定の電位を供給することで、前記第４表示工程によって前記第１画素電極に引き寄せられた前記第２粒子を前記共通電極側に押し出し、前記第２粒子を視覚可能とする秘匿データ読出工程を備える。
【００２０】
この態様によれば、画像を閲覧する閲覧者が、画像中に埋め込まれた秘匿データを読み出そうとする際に、第１画素電極に所定の電位が供給される。尚、ここでの「所定の電位」は、第２粒子が帯電する極性とは逆極性の電位である。よって、第１画素電極に所定の電位が供給されると、秘匿データが埋め込まれた画素（即ち、第１画素電極に第２粒子が引き寄せられ、第２画素電極に第１粒子が引き寄せられた状態の画素）では、第１画素電極において第２粒子を押し出すような力が働く。言い換えれば、第１画素電極に引き寄せられていた第２粒子は、共通電極或いは第２画素電極の方へ引き寄せられる。従って、閲覧者は共通電極側から第２粒子が視覚可能となる。
【００２１】
一方で、秘匿データが埋め込まれていない画素（即ち、第１画素電極に第１粒子が引き寄せられ、第２画素電極に第１粒子が引き寄せられた状態の画素）では、第１画素電極において第２粒子を押し出すような力が働いたとしても、第１画素電極には第２粒子が引き寄せられていないため、粒子状態の変化は起きない。言い換えれば、第１画素電極に引き寄せられていた第１粒子も、第２画素電極に引き寄せられていた第２粒子も動かない。従って、閲覧者から見れば、秘匿データが埋め込まれていない画素は変化しない。
【００２２】
以上のように、本態様では、秘匿データが埋め込まれた画素においてのみ色を変化させることができるため、視覚できない秘匿データを確実に読み出すことができる。また、第３の色を表示している画素すべてに所定の電位を供給すれば済むため、閲覧者は、どの部分に秘匿データが埋め込まれているかを知らなくても、容易に秘匿データを読み出すことができる。
【００２３】
本発明の電気泳動表示装置は上記課題を解決するために、画素毎に設けられた第１画素電極及び第２画素電極と、前記第１画素電極及び前記第２画素電極と対向するように配置された共通電極と、第１の色に対応する第１粒子及び第２の色に対応する第２粒子を含む電気泳動素子と、前記第１画素電極及び前記第２画素電極、並びに前記共通電極の各々に電位を供給することで画像を表示するように制御する制御部とを備え、前記制御部は、前記第１画素電極及び前記第２画素電極に前記第２粒子を引き寄せると共に、前記共通電極に前記第１粒子を引き寄せることで第１の色を表示する第１表示手段と、前記第１画素電極及び前記第２画素電極に前記第１粒子を引き寄せると共に、前記共通電極に前記第２粒子を引き寄せることで第２の色を表示する第２表示手段と、前記第１画素電極に前記第１粒子を引き寄せると共に、前記第２画素電極に前記第２粒子を引き寄せることで前記第１の色及び前記第２の色とは異なる第３の色を表示する第３表示手段と、前記第１画素電極に前記第２粒子を引き寄せると共に、前記第２画素電極に前記第１粒子を引き寄せることで前記第３の色を表示する第４表示手段とを有しており、前記第４表示手段によって前記第３の色を表示する前記画素は、前記第３表示手段によって前記第３の色を表示する前記画素とは異なり、視覚できない秘匿データが埋め込まれる。
【００２４】
本発明の電気泳動表示装置は、例えば画素毎に第１画素電極及び第２画素電極が設けられた素子基板と、共通電極が設けられた対向基板との間に電気泳動素子が挟持されてなる。電気泳動素子は、第１の色に対応する第１粒子及び第２の色に対応する第２粒子を有しており、各粒子が共通電極側に引き寄せられることによって、第１の色及び第２の色が表示可能とされている。また、第１粒子及び第２粒子が、それぞれ第１画素電極及び第２画素電極側に引き寄せられることによって、第１の色及び第２の色とは異なる第３の色が表示可能とされている。
【００２５】
本発明では、上述した画素を制御部が駆動する。制御部は、例えば一対の基板と電気的に接続されるフレキシブル基板上に集積回路として設けられており、装置の動作全体を制御する。そして特に、制御部は上述した本発明の電気泳動表示装置の駆動方法における各工程と同様の動作を行う。よって、本発明の電気泳動表示装置の駆動方法の場合と同様に、極めて簡便な方法で秘匿データの埋め込み及び秘匿データの読み出しを行うことが可能である。
【００２６】
尚、本発明の制御部は、上述した本発明の電気泳動表示装置の駆動方法の一態様である秘匿データ読出工程に対応する動作を行う秘匿データ読出手段を有するように構成されてもよい。この場合、画像の閲覧者は、より確実且つ容易に秘匿データを読み出すことが可能となる。
【００２７】
本発明の電気泳動表示装置の一態様では、前記電気泳動素子は、前記第３の色に対応する無帯電の第３粒子を含んでいる。
【００２８】
この態様によれば、電気泳動素子が第３の色に対応する無帯電の第３粒子を含んでいるため、第１粒子及び第２粒子が、それぞれ第１画素電極及び第２画素電極に引き寄せられた場合には、どの電極にも引き寄せられない第３粒子に対応する第３の色が共通電極側で表示される。従って、比較的簡単な装置構成で確実に３種類の色を表示することが可能となる。
【００２９】
本発明の電気泳動表示装置の他の態様では、前記電気泳動素子は、前記第３の色に対応する溶媒を含んでいる。
【００３０】
この態様によれば、電気泳動素子が第３の色に対応する溶媒を含んでいるため、第１粒子及び第２粒子が、それぞれ第１画素電極及び第２画素電極に引き寄せられた場合には、溶媒の色である第３の色が共通電極側で表示される。従って、比較的簡単な装置構成で確実に３種類の色を表示することが可能となる。
【００３１】
本発明の電気泳動表示装置の他の態様では、前記第１画素電極及び前記第２画素電極は、透光性を有している。
【００３２】
この態様によれば、第１画素電極及び第２画素電極が透光性を有しているため、第１画素電極及び第２画素電極側から見て、第１画素電極及び第２画素電極に、どの色の粒子が引き寄せられているかを視覚できる。即ち、埋め込まれた秘匿データを、通常とは異なる側の面から確認することができる。
【００３３】
上述した構成において、データ作成者側しか裏面（即ち、第１画素電極及び第２画素電極側の面）を見られないようにすれば、データ作成者のみが裏面を利用して秘匿データの確認を行えるような構成にできる。或いは、秘匿データを閲覧させたい閲覧者のみが裏面を見られるようにすれば、秘匿データの読み出し手段として、裏面からの確認を利用することができる。
【００３４】
本発明の電気泳動表示装置の他の態様では、前記第１画素電極及び前記第２画素電極は、遮光性を有している。
【００３５】
この態様によれば、第１画素電極及び第２画素電極が遮光性を有しているため、第１画素電極及び第２画素電極側から見て、第１画素電極及び第２画素電極に、どの色の粒子が引き寄せられているかを視覚することはできない。即ち、埋め込まれた秘匿データは、通常と異なる側の面からも確認することはできない。よって、秘匿データのセキュリティを高めることが可能である。
【００３６】
尚、仮に第１画素電極及び第２画素電極が遮光性を有していなくとも、電気泳動素子から見て第１画素電極及び第２画素電極側に存在するいずれかの部材が遮光性を有していれば同様の効果を得ることができる。また、セキュリティを高める観点からすれば、第１画素電極及び第２画素電極のみならず、第１画素電極及び第２画素電極側に存在する多くの部材が遮光性を有していることが好ましい。
【００３７】
本発明の電子機器は上記課題を解決するために、上述した本発明の電気泳動表示装置（但し、その各種態様も含む）を備える。
【００３８】
本発明の電子機器によれば、上述した本発明に係る電気光学装置を具備してなるので、簡便な方法で透かしデータを埋め込み及び読み出し可能な、例えば、腕時計、電子ペーパー、電子ノート、携帯電話、携帯用オーディオ機器などの各種電子機器を実現できる。
【００３９】
本発明の作用及び他の利得は次に説明する発明を実施するための形態から明らかにされる。
【図面の簡単な説明】
【００４０】
【図１】実施形態に係る電気泳動表示装置の全体構成を示す平面図である。
【図２】実施形態に係る電気泳動表示装置における画素の電気的な構成を示す等価回路図である。
【図３】実施形態に係る電気泳動表示装置の表示部の部分断面図である。
【図４】黒表示を行う画素の書き込み時の電気泳動粒子を示す概念図である。
【図５】赤表示を行う画素の書き込み時の電気泳動粒子を示す概念図である。
【図６】白表示を行う画素の書き込み時の電気泳動粒子を示す概念図（その１）である。
【図７】白表示を行う画素の書き込み時の電気泳動粒子を示す概念図（その２）である。
【図８】黒表示を行う画素の秘匿データ読み出し時の電気泳動粒子を示す概念図である。
【図９】赤表示を行う画素の秘匿データ読み出し時の電気泳動粒子を示す概念図である。
【図１０】白表示を行う画素の秘匿データ読み出し時の電気泳動粒子を示す概念図（その１）である。
【図１１】白表示を行う画素の秘匿データ読み出し時の電気泳動粒子を示す概念図（その２）である。
【図１２】書き込まれるデータを種類別に示すマトリックス図である。
【図１３】書き込み時の表示色を種類別に示すマトリックス図である。
【図１４】秘匿データ読み出し時の表示色を種類別に示すマトリックス図である。
【図１５】配布時の電子ペーパーくじを示す平面図である。
【図１６】データ読み出し時の電子ペーパーくじを示す平面図である。
【発明を実施するための形態】
【００４１】
以下では、本発明の実施形態について図を参照しつつ説明する。
【００４２】
＜電気泳動表示装置及びその駆動方法＞
本実施形態に係る電気泳動表示装置及びその駆動方法について、図１から図１４を参照して説明する。尚、以下の実施形態では、本発明の電気泳動表示装置の一例としてＴＦＴアクティブマトリクス駆動方式の電気泳動表示装置を挙げて説明する。
【００４３】
先ず、本実施形態に係る電気泳動表示装置の全体構成について、図１及び図２を参照して説明する。
【００４４】
図１は、本実施形態に係る電気泳動表示装置の全体構成を示すブロック図である。
【００４５】
図１において、本実施形態に係る電気泳動表示装置１は、表示部３と、コントローラ１０と、走査線駆動回路６０と、データ線駆動回路７０と、共通電位供給回路２２０とを備えている。
【００４６】
表示部３には、ｍ行×ｎ列分の画素２０がマトリクス状（二次元平面的）に配列されている。また、表示部３には、ｍ本の走査線４０（即ち、走査線Ｙ１、Ｙ２、…、Ｙｍ）と、ｎ本の第１データ線５０（即ち、データ線Ｘ１、Ｘ２、…、Ｘｎ）及びｎ本の第２データ線２００（即ち、データ線Ｋ１、Ｋ２、…、Ｋｎ）とが互いに交差するように設けられている。具体的には、ｍ本の走査線４０は、行方向（即ち、Ｘ方向）に延在し、ｎ本の第１データ線５０及び第２データ線２００は、列方向（即ち、Ｙ方向）に延在している。このｍ本の走査線４０とｎ本の第１データ線５０及び第２データ線２００との交差に対応して画素２０が配置されている。
【００４７】
コントローラ１０は、走査線駆動回路６０、データ線駆動回路７０及び共通電位供給回路２２０の動作を制御する。コントローラ１０は、例えば、クロック信号、スタートパルス等のタイミング信号を各回路に供給する。
【００４８】
走査線駆動回路６０は、コントローラ１０から供給されるタイミング信号に基づいて、走査線Ｙ１、Ｙ２、…、Ｙｍの各々に走査信号をパルス的に順次供給する。
【００４９】
データ線駆動回路７０は、コントローラ１０から供給されるタイミング信号に基づいて、第１データ線Ｘ１、Ｘ２、…、Ｘｎ及び第２データ線Ｋ１、Ｋ２、…、Ｋｎに画像信号を供給する。画像信号は、高電位ＶＨ（例えば１５Ｖ）又は低電位ＶＬ（例えば０Ｖ）の２値的な電位をとる。
【００５０】
共通電位供給回路２２０は、共通電位線９３に共通電位Ｖｃｏｍを供給する。尚、共通電位Ｖｃｏｍは一定の電位であってもよいし、例えば書き込む階調に応じて変化してもよい。
【００５１】
本実施形態では、後述するように、画素２０に共通電位Ｖｃｏｍと同一の電位が供給される。これは、例えば共通電位供給回路２２０から出力される共通電位Ｖｃｏｍが高電位ＶＨ又は低電位ＶＬと同一の電位とされることで実現されてもよいし、データ線駆動回路７０から高電位ＶＨ及び低電位ＶＬに加えて、共通電位Ｖｃｏｍと同一である他の電位が供給されることで実現されてもよい。
【００５２】
尚、コントローラ１０、走査線駆動回路６０、データ線駆動回路７０及び共通電位供給回路２２０には、各種の信号が入出力されるが、本実施形態と特に関係のないものについては説明を省略する。
【００５３】
図２は、画素の電気的な構成を示す等価回路図である。
【００５４】
図２において、画素２０は第１トランジスタ２４ａ及び第２トランジスタ２４ｂと、第１画素電極２１ａ及び第２画素電極２１ｂと、共通電極２２と、電気泳動素子２３と、第１保持容量２７ａ及び第２保持容量２７ｂとを備えて構成されている。
【００５５】
第１トランジスタ２４ａ及び第２トランジスタ２４ｂは、例えばＮ型トランジスタで構成されている。
【００５６】
第１トランジスタ２４ａは、そのゲートが走査線４０に電気的に接続されており、そのソースがデータ線５０に電気的に接続されており、そのドレインが第１画素電極２１ａ及び第１保持容量２７ａに電気的に接続されている。第１トランジスタ２４ａは、データ線駆動回路７０（図１参照）から第１データ線５０を介して供給される画像信号を、走査線駆動回路６０（図１参照）から走査線４０を介してパルス的に供給される走査信号に応じたタイミングで出力する。
【００５７】
第２トランジスタ２４ｂは、そのゲートが走査線４０に電気的に接続されており、そのソースが第２データ線２００に電気的に接続されており、そのドレインが第２画素電極２１ｂ及び第２保持容量２７ｂに電気的に接続されている。第２トランジスタ２４ｂは、データ線駆動回路７０から第２データ線２００を介して供給される画像信号を、走査線駆動回路６０から走査線４０を介してパルス的に供給される走査信号に応じたタイミングで出力する。
【００５８】
第１画素電極２１ａ及び第２画素電極２１ｂは、電気泳動素子２３を介して共通電極２２と互いに対向するように配置されている。第１画素電極２１ａには、データ線駆動回路７０から第１データ線５０、第１トランジスタ２４ａを介して、画像信号が供給される。第２画素電極２１ｂには、データ線駆動回路７０から第２データ線２００、第２トランジスタ２４ｂを介して、画像信号が供給される。
【００５９】
共通電極２２は、共通電位Ｖｃｏｍが供給される共通電位線９３に電気的に接続されている。
【００６０】
電気泳動素子２３は、電気泳動粒子をそれぞれ含んでなる複数のセルから構成されている。
【００６１】
第１保持容量２７ａ及び第２保持容量２７ｂは、誘電体膜を介して対向配置された一対の電極からなる。第１保持容量２７ａは、一方の電極が、第１トランジスタ２４ａ及び第１画素電極２１ａに電気的に接続され、他方の電極が共通電位線９３に電気的に接続されている。第２保持容量２７ｂは、一方の電極が、第２トランジスタ２４ｂ及び第１画素電極２１ｂに電気的に接続され、他方の電極が共通電位線９３に電気的に接続されている。第１保持容量２７ａ及び第２保持容量２７ｂによれば、画像信号を一定期間だけ維持することができる。
【００６２】
次に、本実施形態に係る電気泳動表示装置の表示部の具体的な構成について、図３を参照して説明する。
【００６３】
図３は、本実施形態に係る電気泳動表示装置の表示部の部分断面図である。
【００６４】
図３において、表示部３は、素子基板２８と対向基板２９との間に電気泳動素子２３が挟持される構成となっている。尚、本実施形態では、対向基板２９側に画像を表示することを前提として説明する。
【００６５】
素子基板２８は、例えばガラスやプラスチック等からなる基板である。素子基板２８上には、ここでは図示を省略するが、図２を参照して上述した第１トランジスタ２４ａ及び第２トランジスタ２４ｂ、第１保持容量２７ａ及び第２保持容量２７ｂ、走査線４０、第１データ線５０及び第２データ線２００、共通電位線９３等が作り込まれた積層構造が形成されている。この積層構造の上層側に複数の第１画素電極２１ａ及び第２画素電極２１ｂがマトリクス状に設けられている。
【００６６】
対向基板２９は、例えばガラスやプラスチック等からなる透明な基板である。対向基板２９における素子基板２８との対向面上には、共通電極２２が複数の画素電極９ａと対向してベタ状に形成されている。共通電極２２は、例えばマグネシウム銀（ＭｇＡｇ）、インジウム・スズ酸化物（ＩＴＯ）、インジウム・亜鉛酸化物（ＩＺＯ）等の透明導電材料から形成されている。
【００６７】
素子基板２８と対向基板２９との間には、画素を区画する隔壁８８が形成されている。素子基板２８、対向基板２９、隔壁８８に囲まれた領域（以下「セル」とも呼ぶ）には、分散媒８１と、分散媒８１中に分散された複数の白色粒子８２と、複数の黒色粒子８３と、複数の赤色粒子８４とが封入されている。即ち、電気泳動素子２３は、分散媒８１、白色粒子８２、黒色粒子８３、赤色粒子８４を含んで構成されている。
【００６８】
なお、電気泳動素子２３は、各画素に１つのマイクロカプセルを有する構成であってもよい。この場合、マイクロカプセル内に分散媒８１、白色粒子８２、黒色粒子８３、赤色粒子８４を封入する。また、マイクロカプセルは、例えば樹脂等からなるバインダー及び接着層によって素子基板２８及び対向基板２９間で固定される。
【００６９】
分散媒８１は、白色粒子８２、黒色粒子８３及び赤色粒子８４をセル内に分散させる媒質である。分散媒８１としては、水や、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ペンタン、ヘキサン、オクタン等の脂肪族炭化水素、シクロヘキサン、メチルシクロヘキサン等の脂環式炭化水素、ベンゼン、トルエンや、キシレン、ヘキシルベンゼン、へブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１、２−ジクロロエタン等のハロゲン化炭化水素、カルボン酸塩やその他の油類を単独で又は混合して用いることができる。また、分散媒８１には、界面活性剤が配合されてもよい。
【００７０】
白色粒子８２は、本発明の「第３粒子」の一例であり、例えば二酸化チタン、亜鉛華（酸化亜鉛）、三酸化アンチモン等の白色顔料からなる粒子（高分子或いはコロイド）である。白色粒子８２は、例えば無帯電とされている。
【００７１】
黒色粒子８３は、本発明の「第１粒子」の一例であり、例えばアニリンブラック、カーボンブラック等の黒色顔料からなる粒子（高分子或いはコロイド）である。黒色粒子８３は、例えば負に帯電されている。
【００７２】
赤色粒子８４は、本発明の「第２粒子」の一例であり、例えばキナクリドンレッド、カドミウムレッド等の赤色顔料からなる粒子である。赤色粒子８４は、例えば正に帯電されている。
【００７３】
上述した構成によれば、黒色粒子８３及び赤色粒子８４は、第１画素電極２１ａ及び第２画素電極２１ｂと共通電極２２との間の電位差によって発生する電場によって、分散媒８１中を移動することができる。一方で、無帯電の白色粒子８２は、電場によらず、比較的均一に分散媒８１中を移動する。
【００７４】
尚、これらの粒子には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
【００７５】
また、白色粒子８２、黒色粒子８３及び赤色粒子８４に用いる顔料を、例えば緑色や青色等の顔料に代えることによって、緑色、青色等を表示することができる。また、白色粒子８２に代えて、白色に着色された分散媒８１を用いることもできる。
【００７６】
次に、本実施形態に係る電気泳動表示装置の駆動方法について、図４から図１４を参照して説明する。尚、以下では、本実施形態に特有である工程のみを詳細に説明し、その他の工程については適宜説明を省略するものとする。
【００７７】
先ず、図４から図７を参照して、表示データの書き込み動作について説明する。
【００７８】
図４は、黒表示を行う画素の書き込み時の電気泳動粒子を示す概念図である。
【００７９】
図４において、画素２０に黒色が書き込まれる場合には、第１画素電極２１ａ及び第２画素電極２１ｂの電位が、共通電極２２の電位より相対的に低くなるように電圧が印加される。これにより、第１画素電極２１ａ及び第２画素電極２１ｂには、正に帯電した赤色粒子８４が引き寄せられる。一方で、共通電極２２には負に帯電した黒色粒子８３が引き寄せられる。以上の結果、セル内の表示面側（即ち、共通電極２２側）には黒色粒子８３が集まることになり、表示部３の表示面にはこの黒色粒子８３の色（即ち、黒色）が表示されることとなる。
【００８０】
図５は、赤表示を行う画素の書き込み時の電気泳動粒子を示す概念図である。
【００８１】
図５において、画素２０に赤色が書き込まれる場合には、第１画素電極２１ａ及び第２画素電極２１ｂの電位が、共通電極２２の電位より相対的に高くなるように電圧が印加される。これにより、第１画素電極２１ａ及び第２画素電極２１ｂには、負に帯電した黒色粒子８３が引き寄せられる。一方で、共通電極２２には正に帯電した赤色粒子８４が引き寄せられる。以上の結果、セル内の表示面側（即ち、共通電極２２側）には赤色粒子８４が集まることになり、表示部３の表示面にはこの赤色粒子８４の色（即ち、赤色）が表示されることとなる。
【００８２】
図６は、白表示を行う画素の書き込み時の電気泳動粒子を示す概念図（その１）である。
【００８３】
図６において、画素２０に白色が書き込まれる場合には、第１画素電極２１ａの電位が、第２画素電極２１ｂの電位より相対的に高くなるように電圧が印加される。これにより、第１画素電極２１ａには、負に帯電した黒色粒子８３が引き寄せられる。一方で、第２画素電極２１ｂには正に帯電した赤色粒子８４が引き寄せられる。また、共通電極２２は、電位が供給されない状態とされる。以上の結果、セル内の表示面側（即ち、共通電極２２側）には無帯電粒子である白色粒子８２が相対的に集まることになり、表示部３の表示面にはこの白色粒子８２の色（即ち、白色）が表示されることとなる。
【００８４】
図７は、白表示を行う画素の書き込み時の電気泳動粒子を示す概念図（その２）である。
【００８５】
図７において、画素２０に白色が書き込まれる場合には、上述した図６で示す方法とは異なる方法で白色を表示させることが可能である。具体的には、第１画素電極２１ａの電位が、第２画素電極２１ｂの電位より相対的に低くなるように電圧が印加される。これにより、第１画素電極２１ａには、正に帯電した赤色粒子８４が引き寄せられる。一方で、第２画素電極２１ｂには負に帯電した黒色粒子８３が引き寄せられる。また、共通電極２２は、電位が供給されない状態とされる。以上の結果、セル内の表示面側（即ち、共通電極２２側）には無帯電粒子である白色粒子８２が相対的に集まることになり、表示部３の表示面にはこの白色粒子８２の色（即ち、白色）が表示されることとなる。
【００８６】
本実施形態では上述したように、同じ白色を表示する場合であっても２種類の方法が存在する。即ち、図６に示すような方法で白色を表示する方法、及び図７に示すような方法で白色を表示する方法が存在する。これらの方法によって白色が表示される画素２０は、黒色粒子８３及び赤色粒子８４が、第１画素電極２１ａ及び第２画素電極２１ｂのいずれに引き寄せられているかが異なるのみであり、共通電極２２側から見る分には区別がつかない。よって、これらの２種類の画素２０を使い分けることで、表示画像中に視覚することができない秘匿データを埋め込むことができる。
【００８７】
具体的には、秘匿データが埋め込まれない画素２０は、図６に示した方法によって、第１画素電極２１ａに黒色粒子８３が引き寄せられ、第２画素電極２１ｂに赤色粒子８４が引き寄せられた状態とされる。一方で、秘匿データが埋め込まれる画素２０は、図７に示した方法によって、第１画素電極２１ａに赤色粒子８４が引き寄せられ、第２画素電極２１ｂに黒色粒子８３が引き寄せられた状態とされる。このようにすれば、各画素は共に白色を表示しているにもかかわらず、確実に異なる粒子状態を有する画素となる。従って、画像閲覧者に、秘匿データの有無、或いは秘匿データがどこに存在するかを視覚的に判別できないようにして、確実に秘匿データを埋め込むことができる。
【００８８】
次に、図８から図１１を参照して、埋め込まれた秘匿データの読み出し動作について説明する。
【００８９】
図８は、黒表示を行う画素の秘匿データ読み出し時の電気泳動粒子を示す概念図である。
【００９０】
図８において、黒色が表示された画素２０で秘匿データを読み出す際には、第１画素電極２１ａに正の電位が供給される。一方で、第２画素電極２１ｂ及び共通電極２２には電位が供給されない。但し、第１画素電極２１ａ及び第２画素電極２１ｂへの電位の供給のオンオフを切り替えるスイッチが共にオフとされており、各電極の電位は変化しない。従って、各粒子は移動せず、表示は黒色のままである。
【００９１】
図９は、赤表示を行う画素の秘匿データ読み出し時の電気泳動粒子を示す概念図である。
【００９２】
図９において、赤色が表示された画素２０で秘匿データを読み出す際には、第１画素電極２１ａに正の電位が供給される。一方で、第２画素電極２１ｂ及び共通電極２２には電位が供給されない。但し、第１画素電極２１ａ及び第２画素電極２１ｂへの電位の供給のオンオフを切り替えるスイッチが共にオフとされており、各電極の電位は変化しない。従って、各粒子は移動せず、表示は赤色のままである。
【００９３】
図１０は、白表示を行う画素の秘匿データ読み出し時の電気泳動粒子を示す概念図（その１）である。
【００９４】
図１０において、秘匿データが埋め込まれていない白色が表示された画素２０では、秘匿データを読み出す際には、第１画素電極２１ａに正の電位が供給される。一方で、第２画素電極２１ｂ及び共通電極２２には電位が供給されない。ここで特に、第１画素電極２１ａには、書き込み時において既に負に帯電した黒色粒子８３が引き寄せられているため（図６参照）、各粒子は移動しない。従って、表示は白色のままである。
【００９５】
図１１は、白表示を行う画素の秘匿データ読み出し時の電気泳動粒子を示す概念図（その２）である。
【００９６】
図１１において、秘匿データが埋め込まれている白色が表示された画素２０では、秘匿データを読み出す際には、第１画素電極２１ａに正の電位が供給される。一方で、第２画素電極２１ｂ及び共通電極２２には電位が供給されない。この結果、第１画素電極２１ａの電位が、第２画素電極２１ｂ及び共通電極２２の電位より相対的に高くなるため、第１画素電極２１ａには、負に帯電した黒色粒子８３が引き寄せられる。また、書き込み時に第１画素電極２１ａに引き寄せられていた赤色粒子８４は、電位の低い第２画素電極２１ｂ及び共通電極２２側に移動する。よって、表示部３に表示される色は、白色粒子８３に赤色粒子８４が混じった色（ピンクがかった白色）となる。
【００９７】
以上のように、秘匿データ読み出しの際には、その画素２０において何色が表示されているかにかかわらず、第１画素電極２１ａに正の電位を供給すれば、秘匿データが埋め込まれた画素においてのみ表示されている色が変化する。従って、極めて容易且つ確実に秘匿データを読み出すことが可能である。
【００９８】
上述した各画素２０（即ち、黒表示、赤表示、秘匿データを有さない白表示、秘匿データを有する白表示）についてまとめると、以下のようになる。
【００９９】
図１２は、書き込まれるデータを種類別に示すマトリックス図である。
【０１００】
図１２において、本実施系に係る電気泳動表示装置内では、各画素２０に表示するデータは、黒、赤、白Ａ（即ち、秘匿データを有さない白）及び白Ｂ（即ち、秘匿データを有する白）の４種類に分けられている。各画素２０では、図４から図７に示したように、第１画素電極２１ａ、第２画素電極２１ｂ及び共通電極２２に、それぞれに対応した電位が供給される。
【０１０１】
図１３は、書き込み時の表示色を種類別に示すマトリックス図である。
【０１０２】
図１３において、書き込みが行われた各画素２０において表示される色は、黒、赤、白の３種類となる。即ち、秘匿データを有さない白（即ち、白Ａ）と、秘匿データを有する白（即ち、白Ｂ）は、各粒子の状態は異なるものとされるが、視覚的には同じ白となり判別できない。
【０１０３】
図１４は、秘匿データ読み出し時の表示色を種類別に示すマトリックス図である。
【０１０４】
図１４において、秘匿データ読み出し時に各画素２０で表示される色は、黒、赤、くすんだ白、白の４種類となる。即ち、秘匿データを有する白（即ち、白Ｂ）の画素２０のみにおいて色が変化する。よって、秘匿データの読み出しを好適に行うことができる。
【０１０５】
尚、本実施形態に係る電気泳動表示装置では、秘匿データを有しているか否かは、上述したように共通電極２２からでは判別できないが、第１画素電極２１ａ及び第２画素電極２１ｂからは判別可能である。即ち、黒色粒子８３及び赤色粒子８４が、第１画素電極２１ａ及び第２画素電極２１ｂのどちらに引き寄せられているかを見れば分かる。
【０１０６】
これに対し、第１画素電極２１ａ及び第２画素電極２１ｂ側から秘匿データを確認できないようにするには、第１画素電極２１ａ及び第２画素電極２１ｂを、遮光性を有する部材から構成すればよい。一方で、作為的に第１画素電極２１ａ及び第２画素電極２１ｂ側から秘匿データを確認できるようにするには、第１画素電極２１ａ及び第２画素電極２１ｂを、透光性を有する部材から構成すればよい。
【０１０７】
以上説明したように、本実施形態に係る電気泳動表示装置の駆動方法によれば、極めて簡便な方法で秘匿データの埋め込み及び読み出しを行うことが可能である。
【０１０８】
＜電子機器＞
次に、上述した電気泳動表示装置を適用した電子機器について、図１５及び図１６を参照して説明する。以下では、上述した電気泳動表示装置を電子ペーパーに適用した場合を例にとる。
【０１０９】
図１５は、配布時の電子ペーパーくじを示す平面図である。
【０１１０】
図１５に示すように、電子ペーパーくじ１０００は、領域１０００ａに囲まれた中心部分に位置する領域１０００ｂが、上述した実施形態に係る電気泳動表示装置を、画像を表示する表示部として備えている。電子ペーパーくじ１０００は可撓性を有し、従来の紙と同様の質感及び柔軟性を有する書き換え可能なシートからなる。
【０１１１】
ここで、電子ペーパーくじの領域１０００ｂには、その配布時においては白色が表示されているのみである。即ち、秘匿データを有さない白Ａ及び秘匿データを有する白Ｂが混在しているものの、それらの存在や位置が視覚的には判別できないようにされている。
【０１１２】
図１６は、秘匿データ読み出し時の電子ペーパーくじを示す平面図である。
【０１１３】
図１６に示すように、電磁ペーパーくじにおいて所定の電圧を印加すると、秘匿データが埋め込まれた画素の色が変化し、それまで表示されていなかった文字が浮かび上がる。尚、秘匿データの読み出しは、どのような秘匿データかにかかわらず、所定の電圧を印加するだけでよいので、例えば安価で簡易な読み出し専用機が１台あれば済む。よって、機器の導入コストを抑制することができる。また、使用後の電子ペーパーくじ１０００は、回収し再利用することが可能である。
【０１１４】
尚、これらの他に、腕時計、携帯電話、携帯用オーディオ機器などの電子機器の表示部に、上述した本実施形態に係る電気泳動表示装置を適用することができる。
【０１１５】
本発明は、上述した実施形態に限られるものではなく、特許請求の範囲及び明細書全体から読み取れる発明の要旨或いは思想に反しない範囲で適宜変更可能であり、そのような変更を伴う電気泳動表示装置の駆動方法、並びに電気泳動表示装置及び電子機器もまた本発明の技術的範囲に含まれるものである。
【符号の説明】
【０１１６】
３…表示部、１０…コントローラ、２０…画素、２１ａ…第１画素電極、２１ｂ…第２画素電極、２２…共通電極、２３…電気泳動素子、２４ａ…第１トランジスタ、２４ｂ…第２トランジスタ、２７ａ…第１保持容量、２７ｂ…第２保持容量、２８…素子基板、２９…対向基板、４０…走査線、５０…データ線、６０…走査線駆動回路、７０…データ線駆動回路、８２…白色粒子、８３…黒色粒子、８４…赤色粒子、８８…隔壁、９３…共通電位線、２００…第２データ線、２２０…共通電位供給回路
【図１】
2011232525.tif 000003
【図２】
2011232525.tif 000004
【図３】
2011232525.tif 000005
【図４】
2011232525.tif 000006
【図５】
2011232525.tif 000007
【図６】
2011232525.tif 000008
【図７】
2011232525.tif 000009
【図８】
2011232525.tif 000010
【図９】
2011232525.tif 000011
【図１０】
2011232525.tif 000012
【図１１】
2011232525.tif 000013
【図１２】
2011232525.tif 000014
【図１３】
2011232525.tif 000015
【図１４】
2011232525.tif 000016
【図１５】
2011232525.tif 000017
【図１６】
2011232525.tif 000018